(57)【要約】【課題】電源ユニットを設置するための被設置面に対して、造花部を立設状態に容易に保持でき、かつ、演出効果を創出できる電飾造花装置、当該電飾造花装置を構成する造花部、電源ユニット、リユース用の電源ユニットを提供することを課題とする。【解決手段】本電飾造花装置では、電源ユニット２の本体部２２は、電源ユニット２を設置するための被設置面３に対して電源ユニット２に接続された造花部１が立設状態に保持されるように、被設置面３に対して挿し込まれて設置可能に構成される挿込部２２２を備え、電源ユニット２の制御回路は、造花部１と電源ユニット２とが接続された状態で、一対の露出電極が電気的に接続されると、花冠部１０を照明するために必要な電源が電池から照明手段に供給されるように、電池から照明手段への電源供給を制御することを特徴とする。【選択図】図１
2015001034.tif 000002
【特許請求の範囲】
【請求項１】
花弁を有する花冠部及び該花冠部を照明するための照明手段を有する造花部と、該造花部に着脱自在に電気的に接続されるように構成され、造花部に接続された状態で、照明手段に電源供給するための電源ユニットとを備える電飾造花装置であって、
前記電源ユニットは、電池と、該電池に接続される制御回路と、電池及び制御回路を収容する本体部と、制御回路に接続され本体部外に露出する一対の露出電極とを備え、
前記本体部は、電源ユニットを設置するための被設置面に対して電源ユニットに接続された造花部が立設状態に保持されるように、被設置面に対して挿し込まれて設置可能に構成される挿込部を備え、
前記制御回路は、造花部と電源ユニットとが接続された状態で、一対の露出電極が電気的に接続されると、花冠部を照明するために必要な電源が電池から照明手段に供給されるように、電池から照明手段への電源供給を制御することを特徴とする電飾造花装置。
【請求項２】
電池と制御回路とは、各々板状に構成されており、板状の平たい面同士を対向させて重ねるようにして本体部内に収容されている請求項１記載の電飾造花装置。
【請求項３】
電池と、該電池に接続される制御回路と、被設置面に対して挿し込まれて設置可能に構成され、電池及び制御回路を収容する本体部と、制御回路に接続され本体部外に露出する一対の露出電極とを備える電源ユニットに対して、着脱自在に電気的に接続されるように構成され、花弁を有する花冠部及び該花冠部を照明するための照明手段を備える造花部であって、
照明手段は、造花部と電源ユニットとが接続された状態で、一対の露出電極が電気的に接続されると、制御回路によって、花冠部を照明するために必要な電源が電池から供給されることで、花冠部を照明するように構成されることを特徴とする造花部。
【請求項４】
花弁を有する花冠部及び該花冠部を照明するための照明手段を有する造花部に着脱自在に電気的に接続されるように構成され、造花部に接続された状態で、照明手段に電源供給するための電源ユニットであって、
電池と、該電池に接続される制御回路と、電池及び制御回路を収容する本体部と、制御回路に接続され本体部外に露出する一対の露出電極とを備え、
前記本体部は、電源ユニットを設置するための被設置面に対して電源ユニットに接続された造花部が立設状態に保持されるように、被設置面に対して挿し込まれて設置可能に構成される挿込部を備え、
前記制御回路は、造花部と電源ユニットとが接続された状態で、一対の露出電極が電気的に接続されると、花冠部を照明するために必要な電源が電池から照明手段に供給されるように、電池から照明手段への電源供給を制御する電源ユニット。
【請求項５】
花弁を有する花冠部及び該花冠部を照明するための照明手段を有する造花部に着脱自在に電気的に接続されるように構成され、造花部に接続された状態で、照明手段に電源供給するためのリユース用の電源ユニットであって、
電池と、該電池に接続される制御回路と、電池及び制御回路を収容する本体部と、制御回路に接続され本体部外に露出する一対の露出電極とを備え、
前記本体部は、電源ユニットを設置するための被設置面に対して電源ユニットに接続された造花部が立設状態に保持されるように、被設置面に対して挿し込まれて設置可能に構成される挿込部を備え、
前記制御回路は、造花部と電源ユニットとが接続された状態で、一対の露出電極が電気的に接続されると、花冠部を照明するために必要な電源が電池から照明手段に供給されるように、電池から照明手段への電源供給を制御する構成であり、
先に用いられている電池を、リユースのために照明手段に電源供給可能な容量を有する電池に交換することができるように構成されるリユース用の電源ユニット。
【発明の詳細な説明】
【技術分野】
【０００１】
本発明は、電飾のための電飾造花装置と、当該電飾造花装置を構成する造花部と、電源ユニットと、リユース用の電源ユニットとに関する。
【背景技術】
【０００２】
従来、この種の電飾造花装置として、発光ダイオードを有する造花ピースと、内部に電源手段を有する保持体とを備え、造花ピースと保持体とが着脱自在に電気的に接続されるものが知られている（例えば、特許文献１）。
【０００３】
造花ピースは、花弁を有する花冠部と、花冠部を照明するための発光ダイオードと、花冠部を支持する茎部と、茎部の基端側に設けられるコネクタ雄体とを備えてなる。保持体は、電池と、電池を収容する保持ケースと、電池に接続されて保持ケース上端部に設けられるコネクタ雌体とを備えてなる（特許文献１の図４）。
【０００４】
かかる電飾造花装置では、保持体のコネクタ雌体に造花ピースのコネクタ雄体を挿し込んで接続することで、保持体の電池から造花ピースの発光ダイオードに電源供給されて、発光ダイオードは、花冠部を照明する。また、造花ピースに接続した保持体は、花瓶の口から入れられて、花瓶の底部と側壁に当接して支持され、造花ピースは、一輪挿しのように花瓶に立設される。
【先行技術文献】
【特許文献】
【０００５】
【特許文献１】実開平５−７７２１２号公報
【発明の概要】
【発明が解決しようとする課題】
【０００６】
しかしながら、上記従来の電飾造花装置では、上記のように発光ダイオードが花冠部を照明するのは、保持体のコネクタ雌体と造花ピースのコネクタ雄体とを接続することによるため、演出効果に乏しかった。また、上記従来の電飾造花装置では、上記のように保持体が花瓶で支持されることで造花ピースを立設させており、保持体を設置するための被設置面に対して設置する際には、造花ピースが被設置面に対して立設状態となるように保持体は被設置面に支持されないので、このような被設置面に対して造花ピースを立設状態にする点で問題があった。
【０００７】
そこで、本発明は、上記問題に鑑みてなされたもので、電源ユニットを設置するための被設置面に対して、造花部を立設状態に容易に保持でき、かつ、演出効果を創出できる電飾造花装置、当該電飾造花装置を構成する造花部、電源ユニット、リユース用の電源ユニットを提供することを課題とする。
【課題を解決するための手段】
【０００８】
本発明に係る電飾造花装置は、上記課題を解決するためになされたもので、花弁を有する花冠部及び該花冠部を照明するための照明手段を有する造花部と、該造花部に着脱自在に電気的に接続されるように構成され、造花部に接続された状態で、照明手段に電源供給するための電源ユニットとを備える電飾造花装置であって、前記電源ユニットは、電池と、該電池に接続される制御回路と、電池及び制御回路を収容する本体部と、制御回路に接続され本体部外に露出する一対の露出電極とを備え、前記本体部は、電源ユニットを設置するための被設置面に対して電源ユニットに接続された造花部が立設状態に保持されるように、被設置面に対して挿し込まれて設置可能に構成される挿込部を備え、前記制御回路は、造花部と電源ユニットとが接続された状態で、一対の露出電極が電気的に接続されると、花冠部を照明するために必要な電源が電池から照明手段に供給されるように、電池から照明手段への電源供給を制御することを特徴とする。
【０００９】
かかる電飾造花装置では、電源ユニットは、挿込部を備えているので、被設置面に対して設置する際に、被設置面に挿込部を挿し込んで設置することによって、電源ユニットに接続された造花部を被設置面に対して立設状態に容易に保持できる。また、かかる電飾造花装置では、造花部と電源ユニットとが接続された状態で、一対の露出電極が電気的に接続されると、制御回路によって、花冠部を照明するために必要な電源が電池から照明手段に供給されて、照明手段によって花冠部が照明されるため、任意のタイミングで、演出効果を創出することができる。
【００１０】
また、本発明に係る電飾造花装置では、電池と制御回路とは、各々板状に構成されており、板状の平たい面同士を対向させて重ねるようにして本体部内に収容される構成とすることも可能である。
【００１１】
かかる電飾造花装置では、電池と制御回路とは、各々板状に構成されており、板状の平たい面同士を対向させて重ねるようにして本体部内に収容されるため、電源ユニットを小型化することができる。
【００１２】
本発明に係る造花部では、電池と、該電池に接続される制御回路と、被設置面に対して挿し込まれて設置可能に構成され、電池及び制御回路を収容する本体部と、制御回路に接続され本体部外に露出する一対の露出電極とを備える電源ユニットに対して、着脱自在に電気的に接続されるように構成され、花弁を有する花冠部及び該花冠部を照明するための照明手段を備える造花部であって、照明手段は、造花部と電源ユニットとが接続された状態で、一対の露出電極が電気的に接続されると、制御回路によって、花冠部を照明するために必要な電源が電池から供給されることで、花冠部を照明するように構成されることを特徴とする。
【００１３】
かかる造花部では、照明手段は、造花部と電源ユニットとが接続された状態で、一対の露出電極が電気的に接続されると、制御回路によって、花冠部を照明するために必要な電源が電池から供給されることで、花冠部を照明することができるため、任意のタイミングで、演出効果を創出することができる。
【００１４】
本発明に係る電源ユニットでは、花弁を有する花冠部及び該花冠部を照明するための照明手段を有する造花部に着脱自在に電気的に接続されるように構成され、造花部に接続された状態で、照明手段に電源供給するための電源ユニットであって、電池と、該電池に接続される制御回路と、電池及び制御回路を収容する本体部と、制御回路に接続され本体部外に露出する一対の露出電極とを備え、前記本体部は、電源ユニットを設置するための被設置面に対して電源ユニットに接続された造花部が立設状態に保持されるように、被設置面に対して挿し込まれて設置可能に構成される挿込部を備え、前記制御回路は、造花部と電源ユニットとが接続された状態で、一対の露出電極が電気的に接続されると、花冠部を照明するために必要な電源が電池から照明手段に供給されるように、電池から照明手段への電源供給を制御することを特徴とする。
【００１５】
かかる電源ユニットでは、挿込部を備えているので、被設置面に対して設置する際に、被設置面に挿込部を挿し込んで設置することによって、電源ユニットに接続された造花部を被設置面に対して立設状態に容易に保持できる。また、かかる電源ユニットでは、造花部と電源ユニットとが接続された状態で、一対の露出電極が電気的に接続されると、制御回路によって、花冠部を照明するために必要な電源が電池から照明手段に供給することができ、照明手段によって花冠部が照明されるため、任意のタイミングで、演出効果を創出することができる。
【００１６】
本発明に係るリユース用の電源ユニットでは、花弁を有する花冠部及び該花冠部を照明するための照明手段を有する造花部に着脱自在に電気的に接続されるように構成され、造花部に接続された状態で、照明手段に電源供給するためのリユース用の電源ユニットであって、電池と、該電池に接続される制御回路と、電池及び制御回路を収容する本体部と、制御回路に接続され本体部外に露出する一対の露出電極とを備え、前記本体部は、リユース用の電源ユニットを設置するための被設置面に対してリユース用の電源ユニットに接続された造花部が立設状態に保持されるように、被設置面に対して挿し込まれて設置可能に構成される挿込部を備え、前記制御回路は、造花部とリユース用の電源ユニットとが接続された状態で、一対の露出電極が電気的に接続されると、花冠部を照明するために必要な電源が電池から照明手段に供給されるように、電池から照明手段への電源供給を制御する構成であり、先に用いられている電池を、リユースのために照明手段に電源供給可能な容量を有する電池に交換することができるように構成されることを特徴とする。
【００１７】
かかるリユース用の電源ユニットでは、先に用いられている電池を、リユースのために照明手段に電源供給可能な容量を有する電池に交換することができるため、製品寿命を長くすることができる。
【発明の効果】
【００１８】
以上のように、本発明に係る電飾造花装置、造花部、電源ユニット、リユース用の電源ユニットによれば、電源ユニットは、挿込部を備えているので、被設置面に対して設置する際に、被設置面に挿込部を挿し込んで設置することによって、電源ユニットに接続された造花部を被設置面に対して立設状態に容易に保持できると共に、造花部と電源ユニットとが接続された状態で、一対の露出電極が電気的に接続されると、制御回路によって、花冠部を照明するために必要な電源が電池から照明手段に供給されて、照明手段によって花冠部が照明されるため、任意のタイミングで、演出効果を創出することができる。
【図面の簡単な説明】
【００１９】
【図１】本発明の一実施形態に係る電飾造花装置の斜視図を示す。
【図２】同電飾造花装置の造花部の断面図を示す。
【図３】同電飾造花装置の電源ユニットの断面図を示す。
【図４】（ａ），（ｂ）他実施形態に係る電源ユニットの概略断面図を示す。
【図５】他実施形態に係る電源ユニットの概略断面図を各々示す。
【発明を実施するための形態】
【００２０】
以下、本発明に係る電飾造花装置の一実施形態について、図面を参照しつつ説明する。尚、以下の電飾造花装置の説明は、本発明に係る造花部、電源ユニット、リユース用の電源ユニットの一実施形態の説明を含む。
【００２１】
本実施形態に係る電飾造花装置は、図１に示すように、造花部１と、該造花部１に接続される電源ユニット２とからなる。かかる電飾造花装置は、電源ユニット２を平面状の被設置面３に設置して、電源ユニット２に接続した造花部１を被設置面３に立設状態に保持するものである。尚、被設置面３は、例えば、冠婚葬祭などの場面で花を飾るために用意した台などの被設置体の平坦な上面であり、被設置体は、弾性を有する弾性体として、例えばスポンジ状又は粘土状の部材で構成される。尚、図１の符号３０は、電源ユニット２を被設置面３に設置した際にできる設置痕である。
【００２２】
造花部１は、図２に示すように、花弁を有する花冠部１０と、花冠部１０を照明するための照明手段１１と、花冠部１０を一端側で支持する長尺な茎部１２と、茎部１２の他端側に設けられるコネクタ雄体１３とを備えてなる。
【００２３】
花冠部１０は、花弁と花弁の付根にある萼とを有する造花であって、植物の種類は特に限定されないが、例えば、菊、バラ、チューリップ、胡蝶蘭などで構成され得る。
【００２４】
照明手段１１は、一又は複数の発光ダイオードで構成され、発光色は特に限定されず、橙色、赤色、青色、緑色などが可能である。詳細には、照明手段１１は、発光可能な半導体素子である発光部１１ａと、該発光部が着脱自在に電気的に接続される基部１１ｂとで構成され、基部１１ｂは、花冠部１０における花弁の付根又は萼に設けられている。
【００２５】
茎部１２は、長尺に構成されており、一端側に花冠部１０が設けられ、他端側にコネクタ雄体１３が設けられている。コネクタ雄体１３は、凸部を有するピンプラグ又は端子部で構成されており、導線１４によって照明手段１１に接続されている（図２参照）。
【００２６】
電源ユニット２は、造花部１に着脱自在に電気的に接続されるように構成され、造花部１に接続された状態で、照明手段１１に電源供給するためのものである。具体的には、電源ユニット２は、図３に示すように、電池２０と、該電池２０に接続される制御回路２１と、電池２０及び制御回路２１を収容する本体部２２と、本体部２２に設けられて、制御回路２１に接続されるコネクタ雌体２３と、制御回路２１に接続され本体部２２外に露出する一対の露出電極２４とを備える。
【００２７】
電池２０は、その種類は特に限定されないが、例えば、電源ユニット２を小型化できるような板状の電池（ボタン電池）で構成され得る。また、電池２０は、リユース可能に構成される（即ち、電源ユニット２は、リユース用の電源ユニットとして構成され得る）。例えば、電池２０は、先に用いられている電池の容量が消費されるなど、照明手段１１に対して電源供給することが困難又はできない状態になったとき、照明手段１１に電源供給可能な容量を有する同一又は異なる電池に交換可能に構成される。詳細には、電池２０は、充電池で構成される場合には、充電後の同一の電池に交換可能に構成され、使い捨ての電池で構成される場合には、異なる電池に交換可能に構成される。
【００２８】
制御回路２１は、板状のＩＣ基板（電流制限抵抗を含む）で構成される。制御回路２１は、後述の一対の露出電極２４が電気的に接続されると、電池２０からの電源（詳細には、照明手段１１が花冠部１０を照明するために必要な電源）を後述のコネクタ雌体２３に向けて供給するように、電池２０からコネクタ雌体２３への電源供給を制御するように構成される。換言すれば、制御回路２１は、一対の露出電極２４が電気的に接続されていないと、電池２０からの電源をコネクタ雌体２３に向けて供給しないように、電池２０からコネクタ雌体２３への電源供給を制御する。
【００２９】
本体部２２は、上端と下端とが開口する筒状をなす蓋体２２１と、蓋体２２１の下端部が嵌め込まれて、その下端開口を閉塞する挿込部２２２とを有してなる。
【００３０】
ここで、挿込部２２２は、被設置面３に対して挿し込まれて設置可能に構成される（図１，３参照）。具体的には、挿込部２２２は、先細り形状をなす円錐部２２２ａと、円錐部２２２ａの基端から延設される平板状の底部２２２ｂと、底部２２２ｂの周縁から立設される壁部２２２ｃとで構成される。
【００３１】
かかる本体部２２では、蓋体２２１の下端部を挿込部２２２の底部２２２ｂと壁部２２２ｃとで形成される空間に嵌め込むことにより、蓋体２２１と挿込部２２２とが一体化され、その内部空間に電池２０と制御回路２１とが収容される。その収容の際には、電池２０（板状のボタン電池）と制御回路２１（板状の基板）との板状の平たい面同士を対向させて重ねると、電池２０と制御回路２１とが内部空間内に占める体積を小さくできるため、本体部２２を小型化することができる。尚、図３では、後述する各部材の接続についての説明の便宜上、電池２０と制御回路２１とが積層された態様を示していない（図４，５についても同様）。
【００３２】
コネクタ雌体２３は、凹部を有するピンジャック又は端子受部で構成されており、コネクタ雄体１３に着脱自在に電気的に接続される。かかるコネクタ雌体２３は、蓋体２２１の上端開口に挿入されて蓋体２２１に保持され、導線を介して制御回路２１に接続される。
【００３３】
一対の露出電極２４は、一対の導線で構成される。かかる一対の露出電極２４は、一端側が本体部２２外に露出して設けられ、他端側が本体部２２内に収容される制御回路２１に接続される。具体的には、一対の露出電極２４のうち、本体部２２外に露出している一対の導線部分は、円錐部２２２ａの先端から基端に向かって互いに離間して配置されており、不用意な接触を防止している。
【００３４】
以上の構成からなる電飾造花装置の使用方法について説明する。図１に示すように、造花部１と電源ユニット２とが接続される。具体的には、造花部１のコネクタ雄体１３と電源ユニット２のコネクタ雌体２３とが接続される。
【００３５】
電源ユニット２を被設置面３に設置する。具体的には、挿込部２２２の円錐部２２２ａを被設置面３に挿し込んで被設置体内に埋設させて、挿込部２２２の底部２２２ｂを被設置面３に載置（当接）する。
【００３６】
電源ユニット２を被設置面３に設置したとき、電源ユニット２に接続されている造花部１は、電源ユニット２によって、被設置面３に対して立設状態に保持される。
【００３７】
このように、電飾造花装置を被設置面３に設置した状態において、電源ユニット２の一対の露出電極２４が電気的に接続されていないとき、制御回路２１は、電池２０からの電源をコネクタ雌体２３に供給しないように、電源供給を制御する。従って、電池２０からの電源は、造花部１の照明手段１１に供給されておらず、照明手段１１は花冠部１０を照明していない。一方、一対の露出電極２４は、例えば、水などの液体又は手などの人体による接触によって、電気的に接続されると、制御回路２１は、照明手段１１が花冠部１０を照明するために必要な電源を電池２０からコネクタ雌体２３に向けて供給するように、電源供給を制御する。かかる電源は、コネクタ雌体２３に接続されたコネクタ雄体１３を介して、照明手段１１に供給される。その結果、照明手段１１は、花冠部１０を照明する。
【００３８】
また、電飾造花装置を長期間使用した結果、電池２０の容量が消費されて、電池２０は、照明手段１１が花冠部１０を照明するために必要な電源供給力を失った場合には、電池２０は、リユースのために、照明手段１１に電源供給可能な容量を有する同一又は異なる電池に交換される。
【００３９】
以上のように、本実施形態に係る電飾造花装置によれば、電源ユニット２は、挿込部２２２を備えているので、被設置面３に対して設置する際に、被設置面３に挿込部２２２を挿し込んで設置することによって、電源ユニット２に接続された造花部１を被設置面３に対して立設状態に容易に保持できる。また、かかる電飾造花装置では、造花部１と電源ユニット２とが接続された状態（詳細には、前記挿込部２２２によって被設置面３に設置された電源ユニット２に造花部１が電気的に接続されて被設置面３に対して立設した状態）で、一対の露出電極２４が電気的に接続されると、制御回路２１によって、花冠部１０を照明するために必要な電源が電池２０から照明手段１１に供給されて、照明手段１１によって花冠部１０が照明されるため、任意のタイミングで、演出効果を創出することができる。
【００４０】
また、かかる電飾造花装置では、電池２０と制御回路２１とは、各々板状に構成されており、板状の平たい面同士を対向させて重ねるようにして本体部２２内に収容されることができ、電源ユニット２を小型化することができる。
【００４１】
また、本実施形態の造花部１では、照明手段１１は、造花部１と電源ユニット２とが接続された状態（詳細には、前記本体部２２（挿込部２２２）によって被設置面３に設置された電源ユニット２に造花部１が接続されて被設置面３に対して立設した状態）で、一対の露出電極２４が電気的に接続されると、制御回路２１によって、花冠部１０を照明するために必要な電源が電池２０から供給されることで、花冠部１０を照明することができるため、任意のタイミングで、演出効果を創出することができる。
【００４２】
また、本実施形態の電源ユニット２では、挿込部２２２を備えているので、被設置面３に対して設置する際に、被設置面３に挿込部２２２を挿し込んで設置することによって、電源ユニット２に接続された造花部１０を被設置面３に対して立設状態に容易に保持できる。また、かかる電源ユニット２では、造花部１と電源ユニット２とが接続された状態（詳細には、前記挿込部２２２によって被設置面３に設置された電源ユニット２に造花部１０が電気的に接続されて被設置面３に対して立設した状態）で、一対の露出電極２４が電気的に接続されると、制御回路２１によって、花冠部１０を照明するために必要な電源が電池２０から照明手段１１に供給することができ、照明手段１１によって花冠部１０が照明されるため、任意のタイミングで、演出効果を創出することができる。
【００４３】
尚、電源ユニット２をリユース用の電源ユニットとして構成したときには、先に用いられている電池２０を、リユースのために照明手段１１に電源供給可能な容量を有する電池に交換することができるため、製品寿命を長くすることができる。
【００４４】
尚、本発明に係る電飾造花装置、造花部、電源ユニット、リユース用の電源ユニットは、上記実施形態に限定されるものではなく、本発明の要旨を逸脱しない範囲で種々の変更が可能である。
【００４５】
例えば、本実施形態では、被設置面３は、平面状で構成される場合について説明したが、これに限らず、被設置面３は、曲面状又は凹凸面状などの面状で構成されることも可能である。また、被設置面３は、所定の一又は複数の孔を有して構成されることも可能である。この場合、電源ユニット２の挿込部２２２は、被設置面３の孔に挿し込まれて、該孔の周壁に当接して設置可能に構成され得る。
【００４６】
また、本実施形態では、造花部１がコネクタ雄体１３を備え、電源ユニット２がコネクタ雌体２３を備えて構成される場合について説明したが、これに限らず、コネクタの雄雌を逆にして、造花部１がコネクタ雌体を備え、電源ユニット２がコネクタ雄体を備えるような構成も可能である。
【００４７】
また、本実施形態では、造花部１は、花冠部１０と、照明手段１１と、茎部１２と、コネクタ雄体１３とを備えて構成される場合について説明したが、これに限らず、造花部１は、茎部を備えることなく、花冠部１０と、照明手段１１と、コネクタ雄体１３とで構成されることも可能である。
【００４８】
また、本実施形態では、挿込部２２２は、先細り形状をなす円錐部２２２ａを備えて構成される場合について説明したが、これに限らず、挿込部２２２は、円錐部２２２ａの代わりに、断面が円形又は多角形である多角錐部又は多角柱部で構成することも可能である。
【００４９】
また、本実施形態では、一対の露出電極２４は、一対の導線で構成される場合について説明したが、これに限らず、一対の露出電極２４は、図４（本体部２２は、外形線だけを示しているが、断面は、図３の本体部２２断面に同じ）に示すように、一端側が本体部２２内に収容される制御回路２１に接続される一対の導線２４ａであり、他端側が本体部２２（例えば、底部２２２ｂ）外に露出して設けられる一対の導体部２４ｂで構成されることも可能である。一端側の一対の導線２４ａと、他端側の一対の導体部２４ｂとは接続されており、一対の導体部２４ｂは、水などの液体又は手などの人体による接触によって、互いに電気的に接続可能な凸状部で構成される。一対の導体部２４ｂは、例えば、柱状の端子（図４（ａ）参照）、又は、断面略Ｔ字状のピン（図４（ｂ）参照）で構成され得る。
【００５０】
また、本実施形態では、電源ユニット２は、一対の露出電極２４を備える場合について説明したが、これに限らず、電源ユニット２は、複数対の露出電極を備えることも可能である。
【００５１】
例えば、図５（本体部２２は、外形線だけを示しているが、断面は、図３の本体部２２断面に同じ）に示すように、複数の電源ユニット２は各々、二対の露出電極２４を備えて構成されることが可能である。この場合、一の電源ユニット２における二対の露出電極２４のうち、一方の一対と、他方の一対とに各々、連結コネクタＣを設けて、該連結コネクタＣにそれぞれ他の電源ユニット２からの一対の露出電極２４を連結（又は接続）する。また、複数の電源ユニット２のうち、一の電源ユニット２の一対の露出電極２４をＳＷ（スイッチ）ボックス４に接続する。ＳＷボックス４は、自身に接続された一対の露出電極２４を電気的に接続するか否かを切り替え自在にするスイッチを有する。よって、かかる構成の電飾造花装置では、ＳＷボックス４のスイッチにより、当該ＳＷボックス４に接続されている一対の露出電極２４を電気的に接続すると、ＳＷボックス４に直接的又は間接的に接続されている複数の電源ユニット２から、当該複数の電源ユニット２に各々接続される造花部１（照明手段１１）に電力供給をすることができる。また、複数の電源ユニット２は各々、電池を備え、且つ、該電池から照明手段への電源供給が制御回路によって制御されているため、複数の電源ユニット２の連結による電圧降下を防止して、各照明手段は、適切に花冠部を照明することができる。
【符号の説明】
【００５２】
１…造花部、１０…花冠部、１１…照明手段、１１ａ…発光部、１１ｂ…基部、１２…茎部、１３…コネクタ雄体、１４…導線、２…電源ユニット、２０…電池、２１…制御回路、２２…本体部、２２１…蓋体、２２２…挿込部、２２２ａ…円錐部、２２２ｂ…底部、２２２ｃ…壁部、２３…コネクタ雌体、２４…一対の露出電極、２４ａ…導線、２４ｂ…導体部、３…被設置面
【図１】
2015001034.tif 000003
【図２】
2015001034.tif 000004
【図３】
2015001034.tif 000005
【図４】
2015001034.tif 000006
【図５】
2015001034.tif 000007